(57)【要約】【課題】自分を撮影する状況において、顔認証用画像の撮影をより適切に行うことが可能な撮像装置を提供する。【解決手段】撮像装置１は、リモートコントローラを用いてセルフ撮影することが可能である。撮像装置１は、被写体人物に所持されたリモートコントローラの投光部からの高指向性の光線を受光する受光部６と、受光部６による受光状態に基づいて、被写体人物の位置ずれの有無を判定する判定手段とを備える。【選択図】図１
2007078811.tif 000002
【特許請求の範囲】
【請求項１】
リモートコントローラを用いてセルフ撮影することが可能な撮像装置であって、
被写体人物に所持された前記リモートコントローラの投光部からの光線を受光する受光手段と、
前記受光手段による前記光線の受光状態に基づいて、標準位置に対する被写体人物の位置ずれの有無を判定する判定手段と、
を備えることを特徴とする撮像装置。
【請求項２】
請求項１に記載の撮像装置において、
前記受光手段は、撮影レンズの周辺に配置された複数の受光領域を有しており、
前記判定手段は、前記複数の受光領域における各受光状態に基づいて、前記位置ずれの向きを判定することを特徴とする撮像装置。
【請求項３】
請求項１または請求項２に記載の撮像装置において、
前記判定手段による判定結果を前記被写体人物に報知する報知手段、
をさらに備えることを特徴とする撮像装置。
【請求項４】
請求項３に記載の撮像装置において、
前記報知手段は、前記受光手段による前記光線の受光状態に基づいて所定期間にわたって前記被写体人物の位置ずれが存在しないと判定されるときに、撮影準備完了を報知することを特徴とする撮像装置。
【請求項５】
請求項１ないし請求項４のいずれかに記載の撮像装置において、
前記判定手段による判定結果に基づいて、前記被写体人物の位置ずれを補正するための動作を当該被写体人物に指示する指示手段、
をさらに備えることを特徴とする撮像装置。
【発明の詳細な説明】
【技術分野】
【０００１】
本発明は、デジタルカメラなどの撮像装置に関し、特に顔認証用画像の撮影に適した撮像装置に関する。
【背景技術】
【０００２】
近年、ネットワーク技術等の発展によって電子化された様々なサービスが普及し、人に頼らない非対面での本人認証技術の必要性が高まっている。これに伴い、人物の生体特徴によって自動的に個人の識別を行うバイオメトリクス認証技術（生体認証技術）の研究が盛んに行われている。バイオメトリクス認証技術の一つである顔認証技術は、非接触型の認証方法であり、監視カメラによるセキュリティ或いは顔をキーとした画像データベース検索等、様々な分野での応用が期待されている。
【０００３】
上述の顔認証はコンピュータによって行われるため、顔認証に用いられる顔認証用写真には、コンピュータの認証動作に影響を及ぼさない精度で撮影されたものを用いる必要がある。そのため、認証動作に影響を及ぼさない写真を得るためには、顔画像を適切な構図で撮影することが求められる。特に、専門のカメラ店で撮影してもらうのではなく、家庭あるいはオフィス等でカメラを用いて顔認証用の画像を撮影する場合には、顔画像を適切な構図で撮影することは容易ではない。
【０００４】
このような顔画像の撮影技術としては、たとえば特許文献１の技術が存在する。特許文献１では、顔画像撮影時に目の標準位置をライブビュー画像に重畳して表示する技術が記載されている。
【０００５】
【特許文献１】特開２００３−３１７１００号公報
【発明の開示】
【発明が解決しようとする課題】
【０００６】
ところで、顔認証用画像の撮影に際しては、被写体となる被撮影者と撮影者とが同一人物である状況と、別人物である状況とが存在する。換言すれば、撮影者が他人を撮影する状況と自分を撮影する状況とが存在する。
【０００７】
しかしながら、上記の顔認証用画像の撮影技術においては、被写体となる被撮影者と撮影者とが別人物である状況（すなわち撮影者が他人を撮影する状況）のみが想定されており、他方の状況（すなわち自分を撮影する状況）に適切に対応できないことがある。
【０００８】
そこで、この発明の課題は、自分を撮影する状況において、顔認証用画像の撮影をより適切に行うことが可能な撮像装置を提供することにある。
【課題を解決するための手段】
【０００９】
上記課題を解決すべく、請求項１の発明は、リモートコントローラを用いてセルフ撮影することが可能な撮像装置であって、被写体人物に所持された前記リモートコントローラの投光部からの光線を受光する受光手段と、前記受光手段による前記光線の受光状態に基づいて、標準位置に対する被写体人物の位置ずれの有無を判定する判定手段とを備えることを特徴とする。
【００１０】
請求項２の発明は、請求項１の発明に係る撮像装置において、前記受光手段は、撮影レンズの周辺に配置された複数の受光領域を有しており、前記判定手段は、前記複数の受光領域における各受光状態に基づいて、前記位置ずれの向きを判定することを特徴とする。
【００１１】
請求項３の発明は、請求項１または請求項２の発明に係る撮像装置において、前記判定手段による判定結果を前記被写体人物に報知する報知手段、をさらに備えることを特徴とする。
【００１２】
請求項４の発明は、請求項３の発明に係る撮像装置において、前記報知手段は、前記受光手段による前記光線の受光状態に基づいて所定期間にわたって前記被写体人物の位置ずれが存在しないと判定されるときに、撮影準備完了を報知することを特徴とする。
【００１３】
請求項５の発明は、請求項１ないし請求項４のいずれかの発明に係る撮像装置において、前記判定手段による判定結果に基づいて、前記被写体人物の位置ずれを補正するための動作を当該被写体人物に指示する指示手段、をさらに備えることを特徴とする。
【発明の効果】
【００１４】
請求項１ないし請求項５に記載の発明によれば、被写体人物に所持されたリモートコントローラの投光部からの光線が受光手段によって受光され、その受光状態に基づいて被写体人物の位置ずれの有無が判定されるので、被写体人物の位置の適否を適切に判定することが可能である。
【００１５】
特に、請求項２に記載の発明によれば、複数の受光領域における各受光状態に基づいて、被写体人物の位置ずれの向きが判定されるので、位置ずれ補正が可能になる。
【００１６】
また特に請求項３に記載の発明によれば、判定手段による判定結果が被写体人物に報知されるので、撮影者でもある被写体人物が位置ずれに関する状態を把握することができる。
【００１７】
また特に、請求項４に記載の発明によれば、受光状態に基づき所定期間にわたって被写体人物の位置ずれが存在しないと判定されるときに、撮影準備完了が報知されるので、位置ずれの不存在がより確実に検出された状態で撮影することができる。
【００１８】
また特に、請求項５に記載の発明によれば、判定手段による判定結果に基づいて、被写体人物の位置ずれを補正するための動作が指示されるので、当該指示に従って動作を行うことによって適切な状態で撮影を行うことが可能になる。
【発明を実施するための最良の形態】
【００１９】
以下、本発明の実施形態を図面に基づいて説明する。以下では、撮像装置の一例としてデジタルカメラを例示する。
【００２０】
＜１．構成＞
＜構成概要＞
図１はこの実施形態に係るデジタルカメラ１を示す正面図である。また、図２はデジタルカメラ１の上面図である。
【００２１】
図１に示すように、デジタルカメラ１の前面側には、リモコン受光部（以下単に受光部とも称する）６とＬＥＤ表示部７と撮影レンズ１１とフラッシュ発光部１２とが設けられている。撮影レンズ１１の内側には撮影レンズ１１から得られる被写体像を光電変換するための撮像手段としてＣＣＤ撮像素子４０が設けられている。
【００２２】
受光部６は、撮影レンズ１１の周辺、より詳細には撮影レンズ１１の上下左右に設けられた４つの受光領域６Ｕ，６Ｄ，６Ｌ，６Ｒを有している。受光部６は、リモートコントローラ２０（後述）からの光線を受光し、その受信状態によって、顔認証用画像の撮影時における被写体人物の位置ずれ等を検知する。この位置ずれ検出動作については後述する。
【００２３】
ＬＥＤ表示部７は、上下左右に配置された４つのＬＥＤ７Ｕ，７Ｄ，７Ｌ，７Ｒとこれらの中央に配置されたＬＥＤ７Ｅとの合計５つのＬＥＤを有している。後述するように、ＬＥＤ表示部７は、顔認証用画像の撮影時における被写体人物の位置ずれ等を報知する。なお、詳細には、ＬＥＤ７Ｕ，７Ｄ，７Ｌ，７Ｒのいずれかの点滅によって位置ずれの存在等を報知し、ＬＥＤ７Ｅの点灯によって位置ずれの不存在等を報知する。
【００２４】
また、図２に示すように、デジタルカメラ１の上面側には、電源のオンオフを切り替える電源ボタン２と、光学ズームを行うためのズームレバー５と、レリーズボタン（シャッタボタンとも称する）８と、撮影条件設定ダイヤル１４とが配置されている。
【００２５】
ズームレバー５は拡大ボタン５ａと縮小ボタン５ｂとの２つのボタンを備えて構成され、ユーザが拡大ボタン５ａ又は縮小ボタン５ｂのいずれか一方を操作することにより、ＣＣＤ撮像素子４０に結像される被写体像の大きさを光学的に変更することができるように構成されている。
【００２６】
レリーズボタン８は被写体像の撮影を行うときにユーザが押し込み操作するボタンである。レリーズボタン８は、半押し状態Ｓ１と全押し状態Ｓ２とを検出することが可能な２段階スイッチになっている。
【００２７】
撮影条件設定ダイヤル１４はデジタルカメラ１における動作モードを「撮影モード」や「再生モード」等への切り替え設定を手動操作で行うためのスイッチである。
【００２８】
撮影モードにおけるサブモードとしては、近距離の被写体を撮影するのに適した撮影パラメータを設定する「マクロモード」、人物撮影等の通常の撮影に適した撮影パラメータを設定する「人物モード」、動作の早い被写体を撮影するのに適した撮影パラメータを設定する「スポーツモード」、および顔認証用画像の撮影に適した「顔認証撮影モード」等が存在し、これらの設定も撮影条件設定ダイヤル１４によって手動設定可能となっている。
【００２９】
また、デジタルカメラ１の側面部には画像データ等を記録するための記録メディアであるメモリカード９を装着する装着部１５（図１）が形成されており、交換可能なメモリカード９を装着することができる。
【００３０】
デジタルカメラ１の背面側には、液晶表示部３（図２）が設けられている。液晶表示部３は、複数の画素を有し任意のカラー画像を表示することが可能である。液晶表示部３にはＣＣＤ撮像素子４０で得られた画像を表示することができるとともに、他の任意の画像を表示することができる。
【００３１】
図３および図４に示すように、このデジタルカメラ１は、リモートコントローラ（以下、「リモコン」とも称する）２０を有している。デジタルカメラ１は、リモコン２０からの信号を受光部６（図１）で受信して撮影動作を行うことが可能である。
【００３２】
図３はリモコン２０の表（おもて）面側を中心に示す斜視図であり、図４はリモコン２０の裏面側を中心に示す斜視図である。
【００３３】
図４に示すように、リモコン２０は、レリーズボタン２１と拡大ボタン２２ａと縮小ボタン２２ｂとを有している。リモコン２０のレリーズボタン２１は本体側に設けられたレリーズボタン８と同等の機能を有する。同様に、拡大ボタン２２ａは拡大ボタン５ａと同等の機能を有し、縮小ボタン２２ｂは縮小ボタン５ｂと同等の機能を有する。
【００３４】
また、図３に示すように、リモコン２０は、投光部２３と投光ボタン２４とを有している。投光ボタン２４が押下されると、投光部２３から高指向性の光線が出射される。
【００３５】
＜内部構成＞
次に、デジタルカメラ１の内部構成について説明する。図５はデジタルカメラ１の内部構成を示すブロック図である。
【００３６】
図５に示すように、撮影光学系３０が撮影レンズ１１と絞り板３６とを備えており、撮影光学系３０は被写体像をＣＣＤ撮像素子４０に導くように構成される。撮影レンズ１１はレンズ駆動部４７によって駆動され、ＣＣＤ撮像素子４０に結像される被写体像の倍率を可変することが可能である。また、絞り板３６も絞り駆動部４６によって駆動され、絞り板３６の絞り状態（開口径）を可変することが可能である。なお、絞り駆動部４６及びレンズ駆動部４７はマイクロコンピュータ５０から与えられる制御信号に基づいて絞り板３６及び撮影レンズ１１を駆動するように構成されている。
【００３７】
ＣＣＤ撮像素子４０は、光軸Ｌに垂直な面に複数の画素を有する撮像手段であり、光学系により結像された被写体像を、Ｒ（赤），Ｇ（緑），Ｂ（青）の色成分の画像信号（各画素で受光された画素信号の信号列からなる信号）に光電変換して出力する。ＣＣＤ撮像素子４０はタイミングジェネレータ４５によってシャッタースピードに相当する電荷蓄積時間（具体的には露光開始タイミング及び露光終了タイミング）が制御されることにより、被写体の撮影が行われる。また、ＣＣＤ撮像素子４０は、露光によって蓄積された電荷の出力タイミング等がタイミングジェネレータ４５によって制御される。
【００３８】
タイミングジェネレータ４５は、マイクロコンピュータ５０からの基準クロックに基づき、上記のようなＣＣＤ撮像素子４０対する駆動制御信号を生成するものである。
【００３９】
アナログ信号処理回路４１は、ＣＣＤ撮像素子４０から得られる画像信号（アナログ信号）に所定のアナログ信号処理を施すものである。アナログ信号処理回路４１は、ゲイン調整手段として機能するＡＧＣ（オートゲインコントロール）回路４１ａを備えており、マイクロコンピュータ５０がＡＧＣ回路４１ａのゲインを調整することにより画像信号のレベル調整を行なうことができるように構成される。なお、アナログ信号処理回路４１には、画像信号のノイズの低減を行うためのＣＤＳ（相関二重サンプリング）回路等も設けられる。
【００４０】
Ａ／Ｄ変換器４３は、アナログ信号処理回路４１から得られる画像信号の各画素信号を例えば１０ビットのデジタル信号に変換するものである。Ａ／Ｄ変換器４３は、図示しないＡ／Ｄクロック発生回路から入力されるＡ／Ｄ変換用のクロックに基づいて各画素信号（アナログ信号）を所定ビット数のデジタル信号に変換する。
【００４１】
画像メモリ４４は、デジタル信号化された画像データを記憶するメモリである。画像メモリ４４は、１フレーム分の記憶容量を有している。
【００４２】
マイクロコンピュータ５０は内部にプログラムや変数等を格納するＲＡＭ及びＲＯＭを備え、予め格納されたプログラムを実行することにより、種々の機能を実現する。例えば、マイクロコンピュータ５０は、液晶表示部３およびＬＥＤ表示部７における表示内容を制御する表示制御部５１、種々の画像処理（ホワイトバランス調整やγ補正等）を施す画像処理部５２、撮影画像をメモリカード９に記録する画像記録制御部５３、および、被写体像の標準状態に対する「ずれ」を検出するずれ検出部５４等として機能する。
【００４３】
マイクロコンピュータ５０は液晶表示部３における表示画像を任意の画像に制御することができ、またカードドライバ４９に対してアクセスすることも可能であり、メモリカード９との間でデータの入出力を行うことができる。さらにデジタルカメラ１にはメモリ４８が設けられており、マイクロコンピュータ５０がメモリカード９等から入力したデータをメモリ４８に格納することで保存することができる。
【００４４】
また、マイクロコンピュータ５０は、リモコン受光部６で受信したリモコン２０からの光信号を解析して入力し、当該光信号に応じた処理を実行することができる。
【００４５】
操作入力部６０は、上述したレリーズボタン８等の操作部材を含む操作入力手段であり、ユーザによって入力される操作情報は操作入力部６０からマイクロコンピュータ５０に与えられる。この結果、マイクロコンピュータ５０はユーザによる操作に応じた処理を行うことができる。
【００４６】
＜２．動作＞
＜動作概要＞
次に、デジタルカメラ１の動作について図６等を参照しながら説明する。図６は、デジタルカメラ１の顔認証用画像の撮影動作を示すフローチャートである。なお、このデジタルカメラ１を用いることによって、撮影者が他人の顔認証用画像を撮影すること（「ノーマル撮影」）も可能であるが、ここでは、撮影者が自分自身の顔認証用画像を撮影する「セルフ撮影」の場合、すなわち撮影者が被写体人物でもある場合について説明する。
【００４７】
このセルフ撮影時には  デジタルカメラ１は、被写体人物から、所定距離（例えば２，３メートル程度）離れた位置において三脚等を用いて固定される。また、撮影条件設定ダイヤル１４によって、デジタルカメラ１は顔認証撮影モードに設定される。
【００４８】
撮影者は、リモコン２０を用いて撮影動作を行う。具体的には、図７に示すように、人物ＨＭ（被写体人物でもある撮影者）は、投光部２３をデジタルカメラ１側に向けた状態で当該リモコン２０を所持して、リモコン２０を顔の略中央位置（たとえば額の位置）に構え、投光ボタン２４を押下する。すると、リモコン２０が人物ＨＭの顔の略中央位置に配された状態でリモコン２０の投光部２３からの光線が出射される。
【００４９】
デジタルカメラ１は、ステップＳＰ１１において受光部６によって投光部２３からの出射光が受光されていることを確認すると、ステップＳＰ１２に進み、被写体人物ＨＭの標準位置に対する標準被写体人物ＨＭの位置ずれの有無および当該位置ずれの向きを求める。
【００５０】
図８は、正規の位置（標準位置）に存在する被写体人物に保持されたリモコン２０からの光がデジタルカメラ１に照射されている標準状態（「基準状態」ないし「正規状態」とも称する）ＳＴ１を示している。図８の破線で示す円ＣＬ１は、リモコン２０からの光の照射範囲を示している。
【００５１】
投光部２３からの出射光は、非常に高い指向性を有しており、図８に示すように、標準状態ＳＴ１においては、所定距離（例えば２〜３メートル程度）離れたデジタルカメラ１の４つの受光領域６Ｕ，６Ｄ，６Ｌ，６Ｒの全てをちょうど含む程度の広がりを有する状態となるように調整されている。投光部２３からの出射光は、当該所定距離における照射範囲の直径が例えば数センチメートルとなる程度に、高い指向性を有している。
【００５２】
デジタルカメラ１は、４つの受光領域６Ｕ，６Ｄ，６Ｌ，６Ｒの全てにおいて、所定強度以上の光（閾値ＴＨ１以上の強度を有する光）が受光されたときには、人物ＨＭが正規の位置（標準位置）に存在するものと判定する。すなわち、位置ずれが存在しないと判定する。
【００５３】
一方、４つの受光領域６Ｕ，６Ｄ，６Ｌ，６Ｒのうち少なくとも１つの受光領域において所定強度以上の光が受光されていないときには、デジタルカメラ１は、人物ＨＭが標準位置に存在しない（すなわち位置ずれが存在する）と判定する。
【００５４】
図９は、標準位置からずれた位置に存在する被写体に保持されたリモコン２０からの光がデジタルカメラ１に照射されている状態ＳＴ２を示している。状態ＳＴ２においては、デジタルカメラ１の方を向いた被写体人物ＨＭから見て、被写体人物ＨＭの顔が標準位置に対して左側（デジタルカメラ１から見て右側）にずれており、リモコン２０からの光の照射範囲を示す円ＣＬ２は、円ＣＬ１（図８）よりも左側にずれている。このとき、受光領域６Ｕ，６Ｄ，６Ｌ，６Ｒのうち、受光領域６Ｌは所定強度以上の光を受光しているが、少なくとも受光領域６Ｒは所定強度以上の光を受光していない。そのため、デジタルカメラ１は、人物ＨＭの顔が標準位置に対して左側にずれていると判定する。
【００５５】
逆に、受光領域６Ｌが所定強度以上の光を受光していないときには、デジタルカメラ１の方を向いた被写体人物ＨＭから見て、当該人物ＨＭの顔が標準位置に対して右側（デジタルカメラ１から見て左側）にずれていると判定される。
【００５６】
また、図１０に示すように、照射領域ＣＬ３が下にずれて受光領域６Ｕによって所定強度以上の光が受光されていないときには、人物ＨＭの顔が標準位置に対して下側にずれていると判定される。
【００５７】
逆に、受光領域６Ｄによって所定強度以上の光が受光されていないときには、人物ＨＭの顔が標準位置に対して上側にずれていると判定する。
【００５８】
以上のように、デジタルカメラ１は、リモコン２０からの照射光を受光部６によって受光し、受光部６の受光状態に応じて人物ＨＭの位置ずれ（より詳細には、位置ずれの有無および位置ずれの向き）を判定して検知することができる。
【００５９】
また、この実施形態においては、受光部６による受光強度によって、人物ＨＭとデジタルカメラ１との距離（被写体距離）Ｄをも判定する。具体的には、受光部６による受光強度が閾値ＴＨ２（＞ＴＨ１）よりも大きいときには距離Ｄが小さすぎる（すなわち近すぎる）と判定し、受光部６による受光強度が閾値ＴＨ３（＜ＴＨ２）よりも小さいときには距離Ｄが大きすぎる（すなわち遠すぎる）と判定する。
【００６０】
そして、ステップＳＰ１３において人物ＨＭが標準位置に存在するか否かに応じて分岐処理が行われる。人物ＨＭが標準位置に存在しない場合にはステップＳＰ１４に進み、人物ＨＭが標準位置に存在する場合にはステップＳＰ１５に進む。
【００６１】
ステップＳＰ１４においては、ＬＥＤ表示部７を用いて、位置ずれを補正するための動作を示唆する表示等が行われる。
【００６２】
例えば、デジタルカメラ１の方を向いた被写体人物ＨＭから見て、当該人物ＨＭの顔が標準位置に対して左側にずれていると判定（ステップＳＰ１２）されているときには、ＬＥＤ表示部７のうち右側のＬＥＤ７Ｒが点滅する（図１１参照）。これによって、この位置ずれを補正するためには人物ＨＭが右側に移動すべきであることが示される。
【００６３】
逆に、デジタルカメラ１の方を向いた被写体人物ＨＭから見て、人物ＨＭの顔が標準位置に対して右側にずれていると判定されているときには、ＬＥＤ表示部７のうち左側のＬＥＤ７Ｌが点滅する。これによって、この位置ずれを補正するためには人物ＨＭが左側に移動すべきであることが示される。
【００６４】
同様に、人物ＨＭの顔が標準位置に対して下側にずれていると判定されているときには、ＬＥＤ表示部７のうち上側のＬＥＤ７Ｕが点滅する（図１２参照）。これによって、この位置ずれを補正するためには人物ＨＭが上側に移動すべきであることが示される。
【００６５】
逆に、人物ＨＭの顔が標準位置に対して上側にずれていると判定されているときには、ＬＥＤ表示部７のうち下側のＬＥＤ７Ｄが点滅する。これによって、この位置ずれを補正するためには人物ＨＭが下側に移動すべきであることが示される。
【００６６】
人物ＨＭは、以上のような表示に応じて、その位置を調整することが可能である。
【００６７】
また、人物ＨＭがデジタルカメラ１に対して近すぎるときには、ＬＥＤ表示部７のうち上側のＬＥＤ７Ｕと下側のＬＥＤ７Ｄとが点滅する（図１３参照）。この場合には、人物ＨＭは、距離Ｄが大きくなるようにその存在位置を後方に移動するか、あるいは、リモコン２０の縮小ボタン２２ｂを押下する。これによれば、人物ＨＭの顔の画面内での大きさを調整することができる。
【００６８】
逆に、人物ＨＭがデジタルカメラ１に対して遠すぎるときには、ＬＥＤ表示部７のうち左側のＬＥＤ７Ｕと右側のＬＥＤ７Ｒとが点滅する（図１４参照）。この場合には、人物ＨＭは、距離Ｄが小さくなるようにその存在位置を前方に移動するか、あるいは、リモコン２０の拡大ボタン２２ａを押下する。これによれば、人物ＨＭの顔の画面内での大きさを調整することができる。
【００６９】
また、ステップＳＰ１５においては、撮影ＯＫ表示が行われる。具体的には、図１５に示すように、ＬＥＤ表示部７のうち中央のＬＥＤ７Ｅが点灯し、撮影準備が整ったこと（撮影準備完了）が、当該人物ＨＭに対して報知される。
【００７０】
人物ＨＭは、撮影ＯＫ表示を目視で確認すると、当該人物ＨＭの顔の位置をそのまま維持しつつ、リモコン２０を顔から外しデジタルカメラ１の視野内から引き離した後に、レリーズボタン２１を押下する。
【００７１】
ステップＳＰ１６では、撮影が終了したか否かが判定される。撮影が未だ終了していない間はステップＳＰ１５に戻り、撮影が終了すると本処理は終了する。
【００７２】
以上のような処理によれば、被写体人物に所持されたリモートコントローラの投光部２３からの光線が受光され、その受光状態に基づいて被写体人物の位置ずれの有無が判定されるので、被写体人物の位置の適否を適切に判定することが可能である。また、画像認識処理により画像内での被写体位置を検出する場合に比べて、簡易に被写体人物の位置を簡易に把握することができる。
【００７３】
また、複数の受光領域６Ｕ，６Ｄ，６Ｌ，６Ｒにおける各受光状態に基づいて、被写体人物の位置ずれの向きが判定されるので、位置ずれ補正が可能になる。
【００７４】
また、位置ずれに関する判定結果がＬＥＤ表示部７を用いて被写体人物ＨＭに報知されるので、撮影者でもある被写体人物が位置ずれに関する状態を把握することができる。
【００７５】
また、被写体人物ＨＭの位置ずれを補正するための動作がＬＥＤ表示部７を用いて指示されるので、被写体人物ＨＭは、当該指示に従って動作を行うことによって適切な状態で撮影を行うことが可能になる。
【００７６】
＜３．変形例＞
上記実施形態においては、ステップＳＰ１３における１回の判定結果に基づき撮影状態を判定するようにしたが、これに限定されない。例えば、図１６に示すように、位置ずれが存在しないと判定（ステップＳＰ１３）されてから一定時間（例えば２〜３秒）が経過したと判定（ステップＳＰ２１）されるまで位置ずれの判定動作を継続して行い（ステップＳＰ１１〜ＳＰ１３）、当該一定時間にわたって継続的に（連続的に）位置ずれが存在しないと判定され続けたときに、撮影準備完了（ステップＳＰ１５）を報知するようにしてもよい。より詳細には、位置ずれが最初に検出されなくなってから一定時間が経過するまではＬＥＤ７Ｅを点滅させておき、一定時間にわたって被写体人物の位置ずれが存在しないと判定されるときに当該点滅を終了させＬＥＤ７Ｅを点灯させて、撮影準備完了を報知するようにすればよい。これによれば、位置調整が完了してから一定時間が経過するまで被写体人物の位置ずれの有無等が継続して検出され、所定期間にわたって被写体人物の位置ずれが存在しないと判定されるときに、撮影準備完了が報知されるので、位置ずれの不存在がより確実に検出された状態で撮影することが可能である。
【００７７】
また、上記実施形態等においては、人物ＨＭがレリーズボタン２１を押下する場合を例示したが、これに限定されない。例えば、図１７に示すように、人物ＨＭの位置調整が完了して一定時間が経過した後に、自動的に撮影（露光動作等）を行うようにしてもよい。図１７においては、図６と同様のステップＳＰ１１〜ＳＰ１５が行われた後に、位置調整が完了して一定時間（例えば２〜３秒）が経過したと判定（ステップＳＰ２１）された後に露光動作を含む撮影動作（ステップＳＰ２２）が自動的に行われる場合が示されている。これによれば、適切に自動セルフ撮影を行うことができる。また特に、位置調整が完了してから一定時間が経過するまで被写体人物の位置ずれの有無等が継続して検出され、所定期間にわたって被写体人物の位置ずれが存在しないと判定されるときに、撮影が行われるので、位置ずれの不存在がより確実に検出された状態で撮影することが可能である。
【００７８】
また、上記実施形態においては、位置ずれが存在しなくなったときに撮影画像を１枚取得する場合について説明したが、これに限定されない。たとえば、位置ずれが存在しなくなったときに、複数の撮影画像を連写により取得するようにしてもよい。より詳細には、位置ずれが存在しないことが確認されると撮影を自動的に開始し、一定時間間隔で撮影を継続するようにしてもよい。また、その場合において、レリーズボタン２１が全押し状態Ｓ２になる時点までは、バッファメモリに撮影画像データを一時記憶しておき、レリーズボタン２１が全押し状態Ｓ２になったときに、レリーズボタン２１の全押し時点の前後に撮影された所定枚数の撮影画像をメモリカード９に記録することによって、レリーズボタン２１の押下タイミングと連動させた複数の画像を取得することもできる。
【００７９】
さらに、上記実施形態においては、ＬＥＤ表示部７によって位置ずれに関する判定結果を表示する場合を例示しているが、これに限定されない。例えば、被写体側にその表示面を向けるように回動することが可能な液晶表示部をデジタルカメラ１に設け、当該液晶表示部に判定結果および／または補正動作指示等を表示することによって、被写体人物に判定結果および／または補正動作指示等を報知するようにしてもよい。
【００８０】
あるいは、「右へ動いてください」、「もう少し近づいてください」などの音声出力などによって、判定結果および／または補正動作指示等を被写体人物に報知するようにしてもよい。
【００８１】
また、上記実施形態においては、人物ＨＭとデジタルカメラ１との距離Ｄと、人物ＨＭの左右上下方向の位置ずれとの双方を、受光部６による受光状態に基づいて判断する場合を例示したが、これに限定されない。例えば、人物ＨＭの位置ずれを受光部６による受光状態に基づいて求める一方で、距離ＤをＡＦ用の測距機能によって取得するようにしてもよい。より詳細には、アクティブ方式あるいはパッシブ方式の測距センサによって取得される被写体距離を当該距離Ｄとして求めることができる。あるいは、いわゆる山登り法（レンズ位置が異なる複数の画像におけるコントラスト等の評価値を最適化する手法）によって得られる合焦レンズ位置に対応する被写体距離を当該距離Ｄとして求めるようにしてもよい。
【図面の簡単な説明】
【００８２】
【図１】デジタルカメラの正面図である。
【図２】デジタルカメラの上面図である。
【図３】リモコンの表側を中心に示す斜視図である。
【図４】リモコンの裏側を中心に示す斜視図である。
【図５】デジタルカメラの内部構成を示すブロック図である。
【図６】デジタルカメラの顔認証用画像の撮影動作を示すフローチャートである。
【図７】被写体人物でもある撮影者の撮影準備状態を示す図である。
【図８】リモコンからの光の照射範囲を示す図である（標準状態）。
【図９】リモコンからの光の照射範囲を示す図である（左にずれた状態）。
【図１０】リモコンからの光の照射範囲を示す図である（下にずれた状態）。
【図１１】右側への移動を示唆するＬＥＤ表示部を示す図である。
【図１２】下側への移動を示唆するＬＥＤ表示部を示す図である。
【図１３】人物が近すぎることを示すＬＥＤ表示部を示す図である。
【図１４】人物が遠すぎることを示すＬＥＤ表示部を示す図である。
【図１５】撮影準備が整ったことを示すＬＥＤ表示部を示す図である。
【図１６】変形例に係るフローチャートである。
【図１７】別の変形例に係るフローチャートである。
【符号の説明】
【００８３】
１  デジタルカメラ
２  電源ボタン
３  液晶表示部
６  リモコン受光部
６Ｕ，６Ｄ，６Ｌ，６Ｒ  受光領域
７  ＬＥＤ表示部
７Ｕ，７Ｄ，７Ｌ，７Ｒ，７Ｅ  ＬＥＤ
８  レリーズボタン
１１  撮影レンズ
１４  撮影条件設定ダイヤル
２０  リモートコントローラ（リモコン）
２１  レリーズボタン
２２ａ  拡大ボタン
２２ｂ  縮小ボタン
２３  投光部
２４  投光ボタン
ＨＭ  被写体人物
【図１】
2007078811.tif 000003
【図２】
2007078811.tif 000004
【図３】
2007078811.tif 000005
【図４】
2007078811.tif 000006
【図５】
2007078811.tif 000007
【図６】
2007078811.tif 000008
【図７】
2007078811.tif 000009
【図８】
2007078811.tif 000010
【図９】
2007078811.tif 000011
【図１０】
2007078811.tif 000012
【図１１】
2007078811.tif 000013
【図１２】
2007078811.tif 000014
【図１３】
2007078811.tif 000015
【図１４】
2007078811.tif 000016
【図１５】
2007078811.tif 000017
【図１６】
2007078811.tif 000018
【図１７】
2007078811.tif 000019